(57)【要約】【課題】本発明者の提案する建屋の壁面等の面に設けた上下のＣ形鋼に、略Ｌ形を呈する上下の係止駒の係止舌片を挿入し、固定部材を介して取付け、上下の係止駒の緊締体に縦梁材を固止する構成の取付用具は、上下のＣ形鋼に安定して取付けられる特徴がある。しかし、より優れた取付用具の提供を意図する。【構成】本発明は、建屋の壁面等の面に設けた上下のＣ形鋼に設けられる上下の係止駒と、上下の係止駒間に固定される縦梁材とで構成する取付用具で、上の係止駒は、挿入体と、緊締体と、分岐片と、略門形のクリッフ゜とで構成し、挿入体及びクリッフ゜を上のＣ形鋼のフランシ゛に固止し、分岐片を上のＣ形鋼の本体裏面に添接し、また下の係止駒は、挿入体と、緊締体と、分岐片と、略門形のクリッフ゜とで構成し、挿入体及びクリッフ゜を下のＣ形鋼のフランシ゛固止し、分岐片を下のＣ形鋼のフランシ゛に添接し、さらに挾持片で下のＣ形鋼を挾持したハ゜イフ゜等の取付用具である。【選択図】    図２
2004187473.tif 000002
【特許請求の範囲】
【請求項１】
建屋の壁面、天井面等の面に設けた上下のＣ形鋼に設けられる上下の係止駒と、この上下の係止駒間に固定される縦梁材とで構成する取付用具であって、
上の係止駒は、全体視して略椅子形を呈しており、背凭れに当る部分となる挿入体と、また脚部に当る部分となる緊締体と、さらに腕載せ部に当る部分となる分岐片と、前記緊締体に係止する基端と、前記挿入体に延設された自由端とで構成される略門形のクリッフ゜とで構成し、前記挿入体を前記上のＣ形鋼のサイト゛と前記壁面で形成される隙間に挿入し、前記クリッフ゜を前記上のＣ形鋼のフランシ゛に係止し、また前記分岐片を前記上のＣ形鋼の本体下面に添接して、当該上の係止駒を当該上のＣ形鋼に固止し、
又、下の係止駒は、全体視して略倒椅子形を呈しており、背凭れに当る部分となる挿入体と、また脚部に当る部分となる緊締体と、さらに腕載せ部に当る部分となる分岐片と、この分岐片より前方に延設分岐された挾持片と、前記緊締体に係止する基端と、前記挿入体に延設された自由端とで構成される略門形のクリッフ゜とで構成し、前記挿入体を前記Ｃ形鋼のサイト゛と前記壁面で形成される隙間に挿入し、前記挾持片を前記Ｃ形鋼のフランシ゛端に係止し、前記クリッフ゜を前記下のＣ形鋼の上面に係止し、また前記分岐片を前記下のＣ形鋼のフランシ゛に添接して、当該下の係止駒を当該下のＣ形鋼に固止し、
当該上下の係止駒の緊締体間に、この上下の係止駒間の長さを決定する縦梁材を固定する構成とした建屋の棧、梁、もや間に取付けられるハ゜イフ゜、制御盤、ホ゛ックス、ケーフ゛ル等の取付用具。
【発明の詳細な説明】
【０００１】
【発明の属する技術分野】
本発明は、建屋（主として工場）の棧、梁、もや（Ｃ形鋼とする。）間に取付けられるハ゜イフ゜、制御盤、ホ゛ックス、ケーフ゛ル等物品の取付用具に関する。
【０００２】
【従来の技術】
従来、工場、各事務所等の建屋の壁面、天井面等のもや、又は壁面の柱等に差渡されたＣ形鋼にハ゜イフ゜、ホ゛ックス、ケーフ゛ル等を取付ける場合には、Ｃ形鋼に緊締金具を取付け、当該緊締金具を介して溶接等によりハ゜イフ゜、制御盤等を個々に取付ける方法を採用している。従って、Ｃ形鋼間にハ゜イフ゜等を取付けること、建屋の壁面等にハ゜イフ゜等を纏めて取付けること、又は壁面の適宜箇所にハ゜イフ゜等を取付けること、等は不可能であること、又は大変に困ること、等の課題があった。尚、溶接ができない状況、又はこれに関する機材がない状況等の場合には、お手上げであり、大いに問題となる。また多数のホ゛ックス、ケーフ゛ル等を取付ける場合、更には制御盤等を建屋等に取付ける場合に於いても略同様である。
【０００３】
前述した問題等を解消することを意図して、本出願人は、実開平７−３５８８６号（文献１）、及び特開平１１−６３３０８号（文献２）の建屋の棧、梁、もや間に取付けられるハ゜イフ゜、制御盤、電線の取付用具を出願している。この文献１は、略Ｌ字形を呈する下の係止駒をＣ形鋼のフランシ゛（折曲げ端）に嵌合するとともに、上の係止駒の係止舌片をＣ形鋼の裏側（Ｃ形鋼と壁面等の面の隙間）に挿入するとともに、ネシ゛付きヘ゛ースをＣ形鋼の本体（底面）に圧接し、この上下の係止駒間に設けた縦梁材を、Ｃ形鋼間に設ける構成である。また文献２は、上下の係止駒の係止舌片をＣ形鋼の裏側に挿入するとともに、この上下の係止駒の固定部材をＣ形鋼に挾持して、この上下の係止駒間に設けた縦梁材を、Ｃ形鋼間に設ける構成である。
【０００４】
【発明が解決しようとする課題】
文献１は、建屋の壁面等の面に設けた上下のＣ形鋼に、略Ｌ形を呈する上下の係止駒の係止舌片を挿入するとともに、固定部材（ネシ゛付きヘ゛ースのＣ形鋼の本体への圧接）を介して取付け、この上下の係止駒の緊締体に縦梁材を固止する構成の取付用具である。従って、この取付容具を、Ｃ形鋼に安定して取付けられる特徴がある。しかし、より優れた取付用具を意図した場合には、▲１▼係止舌片を、ネシ゛の螺入により、対のＣ形鋼のサイト゛（折曲がり側面）間に差渡し設ける構成であるので、手間を要すること、▲２▼ネシ゛が螺戻した場合には、縦梁材が弛緩する虞があること、▲３▼装着時にネシ゛付きヘ゛ースがＣ形鋼の上方空間を閉塞するので、例えば、コート゛、ハ゜イフ゜等の物品を挿通する際に邪魔となること、等の改良点がある。
【０００５】
また文献２は、建屋の壁面等の面に設けた上下のＣ形鋼に、略Ｌ形を呈する上下の係止駒の係止舌片を挿入するとともに、固定部材（ネシ゛止め固定部材）を介して取付け、この上下の係止駒の緊締体に縦梁材を固止する構成の取付用具である。
従って、このＣ形鋼に強固に取付けられる特徴がある。しかし、より優れた取付用具を意図した場合には、▲１▼上下の係止駒と縦梁材は、ネシ゛の螺入により固定される構成であるので、構造が幾分複雑となること、▲２▼ネシ゛の螺戻で、縦梁材が弛緩する虞があること、▲３▼縦梁材の内側で、ネシ゛締め・戻し作業をすることから、作業が幾分面倒であること、等の改良点がある。
【０００６】
【課題を解決するための手段】
請求項１の発明は、上下の（対の）係止駒を、簡易かつ瞬時に、上下の（対の）Ｃ形鋼に固定できること、又はヘ゜ンチ、ト゛ライハ゛ー等の簡単な工具、また手等を利用して、ワンタッチで、上下のＣ形鋼に固定できること、この固定をフレキシフ゛ルにすること、等を目的とする。また対の係止駒の構造を簡易にして、低コスト化、又は取扱いの容易化を目的とする。
【０００７】
請求項１は、建屋の壁面、天井面等の面に設けた上下のＣ形鋼に設けられる上下の係止駒と、この上下の係止駒間に固定される縦梁材とで構成する取付用具であって、
上の係止駒は、全体視して略椅子形を呈しており、背凭れに当る部分となる挿入体と、また脚部に当る部分となる緊締体と、さらに腕載せ部に当る部分となる分岐片と、前記緊締体に係止する基端と、前記挿入体に延設された自由端とで構成される略門形のクリッフ゜とで構成し、前記挿入体を前記上のＣ形鋼のサイト゛と前記壁面で形成される隙間に挿入し、前記クリッフ゜を前記上のＣ形鋼のフランシ゛に係止し、また前記分岐片を前記上のＣ形鋼の本体下面に添接して、当該上の係止駒を当該上のＣ形鋼に固止し、
又、下の係止駒は、全体視して略倒椅子形を呈しており、背凭れに当る部分となる挿入体と、また脚部に当る部分となる緊締体と、さらに腕載せ部に当る部分となる分岐片と、この分岐片より前方に延設分岐された挾持片と、前記緊締体に係止する基端と、前記挿入体に延設された自由端とで構成される略門形のクリッフ゜とで構成し、前記挿入体を前記Ｃ形鋼のサイト゛と前記壁面で形成される隙間に挿入し、前記挾持片を前記Ｃ形鋼のフランシ゛端に係止し、前記クリッフ゜を前記下のＣ形鋼の上面に係止し、また前記分岐片を前記下のＣ形鋼のフランシ゛に添接して、当該下の係止駒を当該下のＣ形鋼に固止し、
当該上下の係止駒の緊締体間に、この上下の係止駒間の長さを決定する縦梁材を固定する構成とした建屋の棧、梁、もや間に取付けられるハ゜イフ゜、制御盤、ホ゛ックス、ケーフ゛ル等の取付用具である。
【０００８】
【発明の実施の形態】
以下、本発明の実施の形態（取付方法）について詳述する。
【０００９】
本発明の取付け方法の一例を、図１〜図８に示す例を説明する。
【００１０】
：  先ず、上又は下の係止駒に縦梁材を取付ける（この縦梁材は、上下の係止駒を、上下のＣ形鋼に取付け後に、取付け作業をすることも可能である）。
この縦梁材の長さを決定する。例えば、本取付用具を取付ける上下のＣ形鋼の間隔を計測する。この計測を利用して選択又は作成（選択とする）された縦梁材の一端を、上の係止駒の本体部と緊締体（本体の緊締体）と当板との間に形成された隙間に挿入する。その後、緊締体のネシ゛を螺入して、この縦梁材と上の係止駒とを固定する。尚、下の係止駒の場合もあり得るが、その操作は、この上の係止駒との関係に準ずる。
【００１１】
：  上の係止駒を上のＣ形鋼に取付ける。
上の係止駒の挿入体を、壁面と上のＣ形鋼のサイト゛の裏側（サイト゛裏面）との隙間に挿入するとともに、上の係止駒の分岐片を、上のＣ形鋼の一面（例えば、本体の裏面「本体裏面」）に添接する。この状態では、上の係止駒の緊締体に基端を係止した略門形のクリッフ゜を可動して、その自由端の略く字形（側面視して）の係止部を、上のＣ形鋼のフランシ゛端に係止する。この係止と、分岐片の上のＣ形鋼の本体裏面への添接とで、当該上の係止駒は、上のＣ形鋼に固定される（取付けられる）。尚、下の係止駒の場合もあり得るが、その操作は、この上の係止駒との関係に準ずる。
【００１２】
：  下の係止駒を下のＣ形鋼に取付ける。
上の係止駒に固定された縦梁材の下側に、下の係止駒の本体の緊締体と当板との間で形成された隙間に挿入する。そして、この下の係止駒を、縦梁材に沿って上方（上は係止駒）に向って移動する。この移動後、上の係止駒と縦梁材を壁側に移動する。その後、下の係止駒の挿入体を、壁面と下のＣ形鋼のサイト゛の裏側（サイト゛裏面）との隙間に挿入するとともに、下の係止駒の分岐片を、下のＣ形鋼の一面（例えば、フランシ゛表面）に添接する。この際に、フランシ゛端に挾持片を掛け止める（挿入体と挾持片とで下のＣ形鋼のフランシ゛を挾む）。この状態では、下の係止駒は、下のＣ形鋼に掛止されており、略安定した状態となる。この操作で、上下の係止駒及び縦梁材は、上下のＣ形鋼間に掛止された状態となるので、下の係止駒の緊締体のネシ゛を螺入し、下の係止駒と縦梁材を仮固定する。この仮固定後、下の係止駒の緊締体に基端を係止した略門形のクリッフ゜を可動して、その自由端の略く字形（上面視して）の係止部を、下のＣ形鋼のフランシ゛端に係止する。この係止と、分岐片の上のＣ形鋼の本体裏面への添接及び挾持片での挾持とで、当該下の係止駒は、下のＣ形鋼に固定される（取付けられる）。尚、上の係止駒の場合もあり得るが、その操作は、この下の係止駒との関係に準ずる。
【００１３】
：  上下のＣ形鋼間に、上下の係止駒及び縦梁材を固定する。
即ち、前述の上の係止駒及び縦梁材の移動と、下の係止駒と下のＣ形鋼間との固定とで、この上下のＣ形鋼間に、上下の係止駒及び縦梁材（本取付用具）が掛止される。
【００１４】
以上で説明した、本取付用具を、上下のＣ形鋼に取付ける一例を示したものであり、他の取付方法もあり得る。また前記本取付用具の取外しは、前述の逆の操作が理想である。
【００１５】
本発明の取付け方法の他の一例を、図９〜図１１に示す例で説明する。
【００１６】
：  上下の係止駒を、図１〜図８の例（前述とする）と同様にして上下のＣ形鋼に取付ける。この取付けた上の係止駒の緊締体（板部）に、縦梁材の上方を当接して、この両者をネシ゛で緊締する。この例では、緊締体が板部であり、この上の係止駒を上のＣ形鋼に取付け後も自由に着脱ができる。この縦梁材を取付後に、下方を下の係止駒の緊締体（板部と壁面）に、縦梁材の下方を当接して、この両者をネシ゛で緊締する。この例では、緊締体が板部であり、この下の係止駒を下のＣ形鋼に取付け後も自由に着脱ができる。前述の上下の係止駒と上下のＣ形鋼の取付けと、この上下の係止駒への縦梁材の固定とで、この上下のＣ形鋼間に、上下の係止駒及び縦梁材（本取付用具）が掛止される。尚、他の構成、作用等は前述の例に準ずる。
【００１７】
【実施例】
以下、本発明の一実施例を図面を参照として具体的に説明する。
【００１８】
１は上のＣ形鋼Ａ（形鋼の一例である。）に嵌合固定される上の係止駒（以下、原則として係止駒１とする。）で、当該係止駒１は本体１１と、上のＣ形鋼Ａのサイト゛Ａ２と壁面Ｃとの間に形成された隙間Ｄ（波形状又は他の形状等の壁面の凹部分を示す。以下同じ）に挿入される挿入体１２と、当該挿入体１２と直交し前記下のＣ形鋼Ａの本体Ａ１裏面Ａ１−１に添接される分岐片１３、１３（分岐片１３とする。）と、本体１１の下側に設けた緊締体１４とで構成される。尚、緊締体１４は各例があり、図１〜図８の例では、係止駒１の下側に連結部１４０と、この連結部１４０の裏面に設けた当板１４１と、この当板１４１を連結部１４０に接離するネシ゛１４２とで構成されており、後述する縦梁材のリフ゛片を、この連結部１４０と当板１４１との間に設け、ネシ゛１４２の螺入螺戻で、取付け（固定）・その解除（固定解除）を図る。また図９〜図１１の例では、板部１４３と、壁面１４４及びネシ゛１４５とで構成されており、この板部１４３に縦梁材の本体部を当接し、この両者をネシ゛１４５で緊締（固定）・緊締解除（固定解除）を図る。この際に壁面１４３に縦梁材の壁面部が当接し、ネシ゛１４５とともにス゛レ防止、弛緩防止等に役立つ利点がある。
【００１９】
２は下のＣ形鋼Ｂ（形鋼の一例である。）に嵌合固定される下の係止駒（以下、原則として係止駒２とする。）で、当該係止駒２は本体２１と、下のＣ形鋼Ｂのサイト゛Ｂ２と壁面Ｃとの間に形成された隙間Ｄ（波形状又は他の形状等の壁面の凹部分を示す。以下同じ）に挿入される挿入体２２と、当該挿入体２２と直交し前記下のＣ形鋼Ｂのフランシ゛Ｂ３表面Ｂ３−１に添接される分岐片２３、２３（分岐片２３とする。）と、本体２１の下側に設けた緊締体２４と、この分岐片２３の前方に普遍記した挾持片２５、２５（挾持片２５とする）で構成される。尚、緊締体２４は各例があり、図１〜図６の例では、係止駒２の下側に連結部２４０と、この連結部２４０の裏面に設けた当板２４１と、この当板２４１を連結部２４０に接離するネシ゛２４２とで構成されており、後述する縦梁材のリフ゛片を、この連結部２４０と当板２４１との間に設け、ネシ゛２４２の螺入螺戻で、取付け（固定）・その解除（固定解除）を図る。また図９〜図１１の例では、板部２４３と、壁面２４４及びネシ゛２４５とで構成されており、この板部２４３に縦梁材の本体部を当接し、この両者をネシ゛２４５で緊締（固定）・緊締解除（固定解除）を図る。この際に壁面２４４に縦梁材の壁面部が当接し、ネシ゛２４５とともにス゛レ防止、弛緩防止等に役立つ利点がある。尚、この例では、挿入体２２と挾持片２５との間で下のＣ形鋼Ｂのフランシ゛Ｂ３を挾持する。図中Ｂ１は下のＣ形鋼Ｂの本体、Ｂ１−１は下のＣ形鋼Ｂの本体Ｂ１の裏面を示す。
【００２０】
３は縦梁材で、この縦梁材３は、本体部３１と、この本体部３１より略直角状に延設した壁面部３２、３２（壁面部３２）と、この各壁面部３２より内方に傾斜するように延設したリフ゛片３３、３３（リフ゛片３３とする）とで構成されている。尚、図９〜図１１の例では、本体部３１に連結用の孔（図示せず）を設ける。
【００２１】
４は係止駒１の緊締体１４に基端４１、４１（基端４１とする）を係止した略門形のハ゛ネ線材でなるクリッフ゜で、このクリッフ゜４の自由端４２の略く字形の係止部４３を、上のＣ形鋼Ａのフランシ゛端Ａ３−１に係止する。このクリッフ゜４は、取付け・取外し等の容易化、弾性的な支持、又は耐久性などの面からハ゛ネ線材が理想であるが、板材、線材等も採用できる（他の例も同じ）。図中Ａ３は上のＣ形鋼Ａのフランシ゛を示す。
【００２２】
５は係止駒２の緊締体２４に基端５１、５１（基端５１とする）を係止した略門形のハ゛ネ線材でなるクリッフ゜で、このクリッフ゜５の自由端５２の略く字形の係止部５３を、下のＣ形鋼Ｂのフランシ゛端Ｂ３−１に係止する。
【００２３】
図中Ｅは屋根を示す。
【００２４】
【発明の効果】
請求項１の発明は、建屋の壁面等の面に設けた上下のＣ形鋼に設けられる上下の係止駒と、上下の係止駒間に固定される縦梁材とで構成する取付用具であって、上の係止駒は、全体視して略椅子形を呈し、背凭れに当る部分となる挿入体と、また脚部に当る部分となる緊締体と、さらに腕載せ部に当る部分となる分岐片と、緊締体に係止する基端と、挿入体に延設された自由端とで構成される略門形のクリッフ゜とで構成し、挿入体を上のＣ形鋼のサイト゛と壁面で形成される隙間に挿入し、クリッフ゜を上のＣ形鋼のフランシ゛に係止し、また分岐片を上のＣ形鋼の本体下面に添接して、上の係止駒を上のＣ形鋼に固止し、又、下の係止駒は、全体視して略倒椅子形を呈し、背凭れに当る部分となる挿入体と、また脚部に当る部分となる緊締体と、さらに腕載せ部に当る部分となる分岐片と、分岐片より前方に延設分岐された挾持片と、緊締体に係止する基端と、挿入体に延設された自由端とで構成される略門形のクリッフ゜とで構成し、挿入体をＣ形鋼のサイト゛と壁面で形成される隙間に挿入し、挾持片を前記Ｃ形鋼のフランシ゛端に係止し、クリッフ゜を下のＣ形鋼の上面に係止し、また分岐片を下のＣ形鋼のフランシ゛に添接して、下の係止駒を当該下のＣ形鋼に固止し、上下の係止駒の緊締体間に、この上下の係止駒間の長さを決定する縦梁材を固定する構成とした建屋の棧、梁、もや間に取付けられるハ゜イフ゜等の取付用具である。
【００２５】
従って、上下の（対の）係止駒を、簡易かつ瞬時に、上下の（対の）Ｃ形鋼に固定できること、又はヘ゜ンチ、ト゛ライハ゛ー等の簡単な工具、また手等を利用して、ワンタッチで、上下のＣ形鋼に固定できること、この固定をフレキシフ゛ルにすること、等の特徴がある。また対の係止駒の構造を簡易にして、低コスト化、又は取扱いの容易化が図れる実益がある。
【図面の簡単な説明】
【図１】本発明の取付金具の一例を示す斜視図
【図２】取付金具を壁面の上下のＣ形鋼間に装置した状態の一例を示す一部省略の側面図
【図３】図１の例の上の係止駒の他の一例を示す拡大斜視図
【図４】図１の例の下の係止駒の一例を説明する拡大斜視図
【図５】（イ）は図１に示した例の上の係止駒の緊締体と縦梁材との関係を示した一例の要部の拡大断面図、（ロ）は同下の係止駒の緊締体と縦梁材との関係を示した一例の要部の拡大断面図
【図６】図１の例の上の係止駒とＣ形鋼との一例を示す拡大斜視図
【図７】図１の例の下の係止駒とＣ形鋼との一例を示す拡大斜視図
【図８】取付金具を屋根の上下のＣ形鋼間に装置した状態の一例を示す側面図
【図９】本発明の取付金具の他の一例を示す斜視図
【図１０】図９の例の上の係止駒の他の一例を示す拡大斜視図
【図１１】図９の例の下の係止駒の一例を説明する拡大斜視図
【符号の説明】
１        上の係止駒
１１        本体
１２        挿入体
１３        分岐片
１４        緊締体
１４０      連結部
１４１      当板
１４２      ネシ゛
１４３      板部
１４４      壁面
１４５      ネシ゛
２        下の係止駒
２１        本体
２２        挿入体
２３        分岐片
２４        緊締体
２５      挾持片
２４０      連結部
２４１      当板
２４２      ネシ゛
２４３      板部
２４４      壁面
２４５      ネシ゛
３        縦梁材
３１      本体部
３２      壁面部
３３      リフ゛片
４        クリッフ゜
４１        基端
４２        自由端
４３        係止部
５        クリッフ゜
５１        基端
５２        自由端
５３        係止部
Ａ        上のＣ形鋼
Ａ１        本体
Ａ１−１    裏面
Ａ２      サイト゛
Ａ３      フランシ゛
Ａ３−１    フランシ゛端
Ｂ        下のＣ形鋼
Ｂ１        本体
Ｂ１−１    裏面
Ｂ２      サイト゛
Ｂ３      フランシ゛
Ｂ３−１    フランシ゛端
Ｃ        壁面
Ｄ        隙間
Ｅ        屋根
【図１】
2004187473.tif 000003
【図２】
2004187473.tif 000004
【図３】
2004187473.tif 000005
【図４】
2004187473.tif 000006
【図５】
2004187473.tif 000007
【図６】
2004187473.tif 000008
【図７】
2004187473.tif 000009
【図８】
2004187473.tif 000010
【図９】
2004187473.tif 000011
【図１０】
2004187473.tif 000012
【図１１】
2004187473.tif 000013